【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】  熱交換器組立体において、
管状の長い部材と、
該長い管状の部材内に配置された長い内側部材と、
前記長い内側部材及び管状部材が、内側部材及び管状部材の対向する面の間に環状空間を形成して該環状空間内を流れる流体と管状部材の外側を流れる流体との間の熱伝導を促進するような寸法とされることと、
内側部材に取り付けられ且つ内側部材の長さに沿って隔てられ、長い管状部材と係合し、内側部材を管状部材内にて支持するように突き出した複数の弾性的な支持部材とを備える、熱交換器組立体。
【請求項２】  請求項１の熱交換器組立体において、支持部材が複数の剛毛を備える、熱交換器組立体。
【請求項３】  請求項１の熱交換器組立体において、内側部材が中実であり且つ円形の断面を有する、熱交換器組立体。
【請求項４】  請求項１の熱交換器組立体において、内側部材がポリプロピレンで出来ている、熱交換器組立体。
【請求項５】  請求項３の熱交換器組立体において、内側部材がその長さに沿って一定の直径を有する、熱交換器組立体。
【請求項６】  請求項２の熱交換器組立体において、剛毛がポリプロピレンで出来ている、熱交換器組立体。
【請求項７】  請求項１の熱交換器組立体において、管状部材が、環状空間内を流れる流体に対する熱伝導を増し得るようにフィン付きの内面を有する金属管である、熱交換器組立体。
【請求項８】  請求項１の熱交換器組立体において、管状部材が、環状空間内を流れる流体に対する熱伝導を増し得るようにフィン付きの内面を有する、熱交換器組立体。
【請求項９】  管状部材の外面の外側を流れる流体と管状部材を通って流れる冷媒との間にて熱伝導する熱交換器において、
該長い管状の部材内に配置された長い内側部材と、
前記長い内側部材及び管状部材が、内側部材及び管状部材の対向する面の間に環状空間を形成して該環状空間内を流れる流体と管状部材の外側を流れる流体との間の熱伝導を促進するような寸法とされることと、
内側部材に取り付けられ且つ内側部材の長さに沿って隔てられ、長い管状部材と係合し、内側部材を管状部材内にて支持するように突き出した複数の弾性的な支持部材とを備え、内側部材及び支持部材が冷媒に対して化学的適合性を有する、熱交換器。
【請求項１０】  請求項９の熱交換器組立体において、内側部材及び支持部材がゼオトロピック冷媒と化学的適合性を有する、熱交換器組立体。
【請求項１１】  請求項９の熱交換器において、前記支持部材が基本的に複数の剛毛で出来た房状体から成る、熱交換器。
【請求項１２】  請求項１０の熱交換器において、前記管状部材及び前記内側部材が実質的に直線状で且つ同心状である、熱交換器。
【請求項１３】  請求項１０の熱交換器において、前記管状部材及び前記内側部材が、少なくとも３．６５８ｍ（１２フィート）の長さを有する熱交換器。
【請求項１４】  流体からグライド特性を有するゼオトロピック冷媒に熱を伝導する蒸発器において、
各端部における管寄せを有する長いチャンバであって、チャンバの第一の端部にて流体を受け入れるためにチャンバの第一の端部に隣接する流体入口とを有し、該流体をチャンバを通じて第一の軸方向に流動させ、流体をチャンバの他端である第二の端部に隣接する出口を通じて冷却した状態にて排出する長いチャンバと、
チャンバの第二の端部にて管寄せと連通する冷媒入口及びチャンバの他端である第一の端部にて官寄せと連通する冷媒出口と、
チャンバの第二の端部にて管寄せから冷媒を受け入れ、該冷媒を管状部材を通して流動させ、冷媒を管寄せ及び第一の端部における出口を通して加熱状態にて排出し、これにより、蒸発器が向流型蒸発器であるようにすべく前記チャンバ内に配置された複数の長い管状部材と、
前記管状部材の少なくとも大部分内に配置された長い内側部材とを備え、前記内側部材及び管状部材が、冷媒と流体との間の熱伝導を促進し得るように内側部材及び管状部材の対向する面の間に環状空間を形成し得るような寸法とされる、蒸発器。
【請求項１５】  請求項１４の蒸発器において、前記管状部材及び前記内側部材が実質的に直線状である、蒸発器。
【請求項１６】  請求項１４の蒸発器において、前記管状部材及び内側部材が同心状である、蒸発器。
【請求項１７】  請求項１４の蒸発器において、内側部材の各々の長さに沿って隔てられ、それぞれの長い管状部材に係合し且つ内側部材を管状部材内にて実質的に中央に支持するように突出する複数の弾性的な支持部材を更に備える、蒸発器。
【請求項１８】  請求項１７の蒸発器において、弾性的な支持部材が、内側部材に取り付けられた房状体である、蒸発器。
【請求項１９】  請求項１７の蒸発器において、前記支持部材が、複数の組みにて形成され、該組みの各々が、環状空間の周の周りで隔てられ且つ環状空間に沿った異なる軸方向位置に配置された複数の支持部材を含む、蒸発器。
【請求項２０】  請求項１９の蒸発器において、少なくとも一組みの支持部材が環状空間の周の周りにて等距離の位置に配置される、蒸発器。
【請求項２１】  請求項１９の蒸発器において、少なくとも一組みの支持部材が環状空間の長さに沿ってら旋を形成する、蒸発器。
【請求項２２】  請求項１９の蒸発器において、各組みの支持体が３つの支持部材を含む、蒸発器。
【請求項２３】  請求項１９の蒸発器において、一組みの支持部材が内側部材の長さに沿って互いに約１２．７ｍｍ（約０．５インチ）隔てられる、蒸発器。
【請求項２４】  請求項１７の蒸発器において、内側部材が中実な部材である、蒸発器。
【請求項２５】  請求項１７の蒸発器において、内側部材が発泡ポリプロピレンで出来ている、蒸発器。
【請求項２６】  請求項１７の蒸発器において、支持部材が、内側部材の長さに沿って互いに約１２．７ｍｍ（約０．５インチ）隔てられる、蒸発器。
【請求項２７】  管型熱交換器内の流体と冷媒との間の熱交換方法において、
管型熱交換器内に配置された長い管状部材及び該管状部材内に配置された長い内側部材の対向する面の間に形成された環状通路を通して冷媒を流動させるステップと、
流体を管状部材の外面の周りにて流動させるステップと、
内側部材の長さに沿って隔てられ且つ内側部材から突出し、管状部材に係合する複数の弾性的な支持体により内側部材を管状部材内にて支持するステップとを備える、熱交換方法。
【請求項２８】  請求項２７の方法において、弾性的な支持部材が一端にて内側部材に取り付けられ、他端にて管状部材の面に係合する、方法。
【請求項２９】  請求項２７の方法において、内側部材が中実で且つ円形の断面を有する、方法。
【請求項３０】  請求項２７の方法において、内側部材がポリプロピレンで出来ている、方法。
【請求項３１】  請求項２８の方法において、内側部材が一定の直径を有する、方法。
【請求項３２】  請求項２７の方法において、弾性的な支持部材が内側部材に取り付けられた房状体である、方法。
【請求項３３】  請求項３２の方法において、房状体が剛毛の束で出来ている、方法。
【請求項３４】  請求項２７の方法において、支持部材が複数の組みにて形成され、該組みの各々が環状空間の周の周りにて隔てられ且つ環状空間に沿った異なる軸方向位置に配置された複数の支持部材を含む、方法。
【請求項３５】  請求項３４の方法において、少なくとも一組みの支持部材が環状空間の周の周りにて等距離にあり、環状空間の長さに沿ってら旋を画成する、方法。
【請求項３６】  請求項２７の方法において、冷媒がゼオトロピック冷媒であり、内側部材及び弾性的な支持部材がゼオトロピック冷媒と化学的適合性を有する、方法。
【請求項３７】  請求項２７の方法において、内側部材及び管状部材が実質的に直線状で且つ同心状である、方法。
【請求項３８】  請求項３４の方法において、一組みの支持部材が内側部材の長さに沿って互いに約１２．７ｍｍ（約０．５インチ）隔てられる、方法。
【請求項３９】  管型蒸発器内の冷媒を蒸発させることにより流体を冷却する方法において、
蒸発器の胴体の第一の端部に隣接して配置された流体入口を通して流体を蒸発器内に流動させ、流体を胴体を通して第一の軸方向に流動させ、第一の端部と反対側の胴体の第二の端部に隣接して配置された流体出口を通して流体を排出するステップと、
冷媒を冷媒入口を通して胴体の第二の端部の第一の管寄せ内に流動させ、胴体内に配置された管状部材及び該管状部材内に配置された内側部材の対向する面の間に形成された少なくとも１つの環状空間を通して冷媒を第一の方向と反対の第二の方向に流動させ、第一の管寄せと反対側の胴体の第一の端部に配置された第二の管寄せから冷媒出口を通して冷媒を排出するステップとを備える、方法。
【請求項４０】  請求項３９の方法において、冷媒がゼオトロピック冷媒である、方法。
【請求項４１】  請求項３９の方法において、冷媒及び流体の双方が１回のパスにて熱交換器を通って流動する、方法。
【請求項４２】  請求項４１の方法において、蒸発器の胴体内に保持された冷媒が複数の管状部材及び対応する内側部材のそれぞれの対向する面の間に形成された複数の環状空間を通って流動し、管状部材及び対応する内側部材の各々が同心状である、方法。
【請求項４３】  請求項４２の方法において、内側部材の各々の長さに沿って隔てられた弾性的な支持部材が対応する管状部材に係合し且つ内側部材を管状部材内にて実質的に中央に支持し得るように突出する、方法。
【請求項４４】  請求項４３の方法において、弾性的な支持部材が内側部材に取り付けられた剛毛の束で出来た房状体である、方法。
【請求項４５】  請求項４４の方法において、内側部材が中実で且つ発泡ポリプロピレンで出来ている、方法。
【請求項４６】  請求項４５の方法において、支持部材が内側部材の長さに沿って互いに約１２．７ｍｍ（約０．５インチ）隔てられる、方法。
【請求項４７】  請求項３９の方法において、胴体内に配置された複数の管状部材及び該管状部材内に配置された対応する複数の内側部材のそれぞれ対向する面の間に形成された複数の環状空間を通って冷媒が流動する、方法。
【請求項４８】  請求項４７の方法において、冷媒がゼオトロピック冷媒である、方法。
【請求項４９】  請求項１７の蒸発器において、内側部材が発泡ポリエチレンで出来ている、蒸発器。